(57)【要約】      （修正有）【課題】従来のオーダーインソールは製作してしまうと、後日修正することが困難であり、追加的費用も発生していた。またユーザー自身がオーダーインソールの微調整を試みることも困難であった。【解決手段】衝撃吸収性と反発力を有する厚さ５ミリから厚さ２０ミリの範囲の特徴を有する発泡ウレタン樹脂等のインソールとし、このインソール本体と、そのインソールの上面に取り付けることができるＥＶＡ等によって成型された足部の土踏まずのサポートと、踵骨を適正な位置に固定し骨格バランスを補正する機能を有する一体型歩行改善パッドと保護シート及びインソール本体の組合せ。【選択図】図１
0003142306.tif 000002
【実用新案登録請求の範囲】
【請求項１】
硬度５０から硬度６０の範囲で衝撃吸収性と反発力を有する厚さ５ミリから厚さ２０ミリの範囲の特徴を有する発泡ウレタン樹脂及び発泡ゴム系素材をインソールとし、このインソール本体と、そのインソールの上面に取り付けることができるＥＶＡ及びシリコン樹脂によって成型された硬度３０から硬度６０を有し、１２０ｍｍから１５０ｍｍ、幅６０ｍｍから１２０ｍｍ、高さ１５ｍｍ３０ｍｍの大きさを特徴とする足部の土踏まずのサポートと、踵骨を適正な位置に固定し、骨格バランスを補正する機能を有する一体型歩行改善パッドと保護シート及びインソール本体の組合せ。
【考案の詳細な説明】
【技術分野】
【０００１】現在市販されている既成靴にユーザーが靴を購入後、別途インソールを購入するケースが増えている。
これは既製靴が個々のユーザーの歩行特性に対応しきれないことが原因であった。しかし市販のインソールも既製品であるため、ユーザーの多用な要望に応えることが困難であった。
本考案はユーザーが購入後、自分でインソール本体と一体型歩行改善パッドを組立ることでより多用な歩行特性に対応できるようになる。
【背景技術】
【０００２】従来より靴の中に入れるイソールをユーザーの要望に添って製作するオーダーイソールという分野があったが、製作時間が長く、費用も数万円するのが実情であった。
【考案の開示】
【考案が解決しようとする課題】
【０００３】従来のオーダーインソールはひとたび製作してしまうと、後日修正することが困難であり、追加的費用も発生していた。またユーザー自身がオーダーインソールの微調整を試みることも困難であった。
本考案はユーザー自身が「請求項１」の特徴を有するインソール本体に、足部の土踏まずのサポートと、踵骨を適正な位置に固定し骨格バランスを補正する機能を有する一体型歩行改善パッドを取り付け、ユーザー自身がオーダーインソールの加工及び微調整を試みることを可能とする。
【課題を解決するための手段】
【０００４】ユーザー自身がオーダーインソールの加工及び微調整を試みることを可能とするためには、「請求項１」の特徴を有するインソール本体と、「請求項１」の特徴を有する一体型歩行改善パッドをユーザーが自分で組合せることができ、さらに一体型歩行改善パッドを移動したり、大きさの異なる「請求項１」の特徴を有する一体型歩行改善パッドと入れ替えることができ、さらに「請求項１」の特徴を有するインソール本体と、「請求項１］の特徴を有する一体型歩行改善パッドが組合せされた状態でこれらの表面を保護し覆う靴用の保護シート（敷き皮・中敷き）が必要となる。
【考案の効果】
【０００５】「請求項１」の特徴を有するインソール本体と、「請求項１」の特徴を有する一体型歩行改善パッドが組合せされた状態で歩行すると、足の外側の土踏まずと内側の土踏まず高低差が生じるために足の指がニュートラルポジションまで誘導され、ショパール関節から踵骨をサポートできる。
本来、適正とされる骨格形状には個人差があり、凹足ぎみや偏平足ぎみであってもその骨格形状が「請求項１」の特徴を有するインソールキットによってユーザーの骨格バランスを整えることができる。
「請求項１」の特徴を有するインソールキットは足部の骨格をニュートラルポジションに戻し、関節可動域を広げる事により運動効率を高め、衝撃吸収性と反発力によりボディーバランスを整えることができる。
【考案を実施するための最良の形態】
【０００６】「図７」は「請求項１」の特徴を有するインソール本体であり、「図８」はその側面図である。
また「図１」は「請求項１」の特徴を有する一体型歩行改善パッド（左足用）の上面図であり、「図２」は同じく踵側からの後方図であり、「図３」は同じくつま先側からの前方図であり、「図４」は同じく外側の土踏まずからの側面図であり、「図５」は同じく内側の土踏まずからの側面図であり、「図６」は同じく底面図である。
「請求項１」の特徴を有するインソールキットのインソール本体（図７）は下記の規格を揃え、ユーザーが選べるようにする。
主に女性用として
Ｓサイズ（足長２１ｃｍから２２ｃｍに対応）
Ｍサイズ（足長２２．５ｃｍから２３．５ｃｍに対応）
Ｌサイズ（足長２４ｃｍから２５ｃｍに対応）
主に男性用として
Ｓサイズ（足長２４ｃｍから２５ｃｍに対応）
Ｍサイズ（足長２５．５ｃｍから２６．５ｃｍに対応）
Ｌサイズ（足長２７ｃｍから２８ｃｍに対応）
また、「請求項１」の特徴を有する一体型歩行改善パッド（図１から図６）はオーバープロネーター（偏平足用、ＯＰ）タイプとして高低差が５ｍｍある歩行改善パッドを３種類、ニュートラル（平常足用、ＮＴ）タイプとして高低差が３ｍｍある歩行改善パッドを３種類、さらにオーバーサピネーター（凹足用、ＯＳ）タイプとして高低差が５ｍｍある歩行改善パッドを３種類各々準備し、それぞれ両面テープや繰り返し接着が可能な接着剤によりインソール本体の上面に固定する。
これにより、ユーザーが上記のインソール本体と一体型歩行改善パッドの中から自分の歩行特性に合致したものを選択することができ、さらに購入後も上記の一体型歩行改善パッドの中から任意のものを選択して入れ替えたり、左右の一体型歩行改善パッドを異なる種類に置き換えることができるようになる。
【図面の簡単な説明】
【０００７】
【図１】は、「請求項１」の特徴を有する一体型歩行改善パッド（左足用）の上面図
【図２】は、〔図１〕の踵側からの後方図
【図３】は、〔図１〕のつま先側からの前面図
【図４】は、〔図１〕の外側の土踏まずからの側面図
【図５】は、〔図１〕の内側の土踏まずからの側面図
【図６】は、〔図１〕の底面図
【図７】は、「請求項１」の特徴を有するインソール本体（男性用・女性用）
【図８】は、〔図７〕の側面図
【図９】は、靴用の保護シート（敷き皮・中敷き）
【図１０】は、左足インソールの組立て完成図
【符号の説明】
【０００８】Ａは左足一体型用歩行改善パッドの内側の土踏まずの頂点である。
Ｂは左足用一体型歩行改善パッドの外側の土踏まずの頂点である。
Ｃは左足用一体型歩行改善パッドのつま先側先端である。
Ｄは左足用一体型歩行改善パッドの踵側の縁である。
【図１】
0003142306.tif 000003
【図２】
0003142306.tif 000004
【図３】
0003142306.tif 000005
【図４】
0003142306.tif 000006
【図５】
0003142306.tif 000007
【図６】
0003142306.tif 000008
【図７】
0003142306.tif 000009
【図８】
0003142306.tif 000010
【図９】
0003142306.tif 000011
【図１０】
0003142306.tif 000012